(57)【特許請求の範囲】
【請求項１】
開閉自在の蓋部により底面が閉じられた筒状の集塵容器内に旋回気流を形成して前記集塵容器内に流入する気流に含まれた塵埃を分離して集塵する着脱自在のサイクロン集塵装置を備えた電気掃除機において、前記サイクロン集塵装置が、前記集塵容器の上方に配された回転自在のハンドルと、前記集塵容器内に配されて旋回気流が流出する流出口を有する内筒と、前記流出口から流出する気流に含まれた塵埃を捕集するフィルタと、前記ハンドルの回転によって前記フィルタを叩打して除塵する弾性体から成る除塵部材と、前記蓋部に回転自在に取り付けられて前記ハンドルの回転によって回転するとともに前記蓋部の下方に配される回転体下係合部を有する蓋部回転体と、前記蓋部に対して回動自在に取り付けられて前記蓋部の閉じた状態で配される閉成位置と前記蓋部を開く際に配される開成位置との間を回動するとともに前記回転体下係合部に係合する第１レバー係合部と前記集塵容器の周面に沿って配されて前記閉成位置で前記集塵容器に設けた容器係合部に係合する第２レバー係合部とを有するレバーと、前記レバーを前記閉成位置の方向に付勢するレバー付勢部材と、を備え、前記サイクロン集塵装置を取り外して前記ハンドルを回転した際に、前記回転体下係合部と第１レバー係合部との係合により前記レバーが回動して第２レバー係合部と前記容器係合部との係合が解除され、前記蓋部が開かれることを特徴とする電気掃除機。
【請求項２】
前記内筒が下面を開口して前記蓋部に密接し、前記内筒の上方に前記フィルタが配されることを特徴とする請求項１に記載の電気掃除機。
【請求項３】
前記内筒の周面に突設される螺旋状の押圧部を備え、前記ハンドルを回転した際に前記内筒とともに前記押圧部が回転して塵埃を押し出すことを特徴とする請求項１または請求項２に記載の電気掃除機。
【請求項４】
前記回転体下係合部を軸方向にスライド自在に形成するとともに前記回転体下係合部を下方に付勢する回転体付勢部材を有し、前記サイクロン集塵装置を装着した際に前記回転体付勢部材の付勢力に抗して前記回転体下係合部が上方に移動し、前記回転体下係合部と第１レバー係合部との係合が解除されることを特徴とする請求項１〜請求項３のいずれかに記載の電気掃除機。
【請求項５】
前記回転体下係合部が前記蓋部回転体の下面から下方に突出するとともに第１レバー係合部が前記レバーの上面から上方に突出して互いに周方向に当接し、前記内筒の軸上に前記蓋部回転体及び前記レバーの回転軸を配したことを特徴とする請求項１〜請求項４のいずれかに記載の電気掃除機。
【発明の詳細な説明】
【技術分野】
【０００１】
本発明は、サイクロン集塵装置を備えた電気掃除機に関する。
【背景技術】
【０００２】
従来の電気掃除機は特許文献１に開示されている。この電気掃除機は電動送風機を内装した本体部に着脱自在のサイクロン集塵装置が設けられる。サイクロン集塵装置は開閉自在の蓋部により底面が閉じられた筒状の集塵容器を有している。集塵容器の周面の上部には接線方向に気流を流入させる流入口が開口する。集塵容器の周面の下部には蓋部を開く操作部が設けられる。
【０００３】
集塵容器内には同軸に内筒が配され、内筒の周面には集塵容器内の空気が流出する流出口が開口する。また、内筒の周面には螺旋状のリブが突設される。流出口の下流側には塵埃を捕集するフィルタが設けられる。フィルタの外周側には弾性体から成る回転自在の除塵部材が配置される。内筒の上方には除塵部材及び螺旋状のリブを回転させるハンドルが設けられる。
【０００４】
電動送風機の駆動により塵埃を含む気流が流入口を介して集塵容器に流入し、集塵容器内に旋回気流を形成する。集塵容器内の旋回気流に含まれる塵埃は遠心力により分離され、集塵容器の底部に溜められる。塵埃が除去された気流は流出口から内筒内に流出する。内筒を流通する気流はフィルタにより細かい塵埃が捕集された後、電動送風機を介して排気される。
【０００５】
サイクロン集塵装置を取り外して操作部を操作すると、蓋部が開いて集塵容器の底面から塵埃が落下して廃棄される。この時、ハンドルを回転させると除塵部材及び螺旋状のリブが回転する。除塵部材は回転しながらフィルタを叩打し、フィルタに捕集された塵埃を除塵して排出する。螺旋状のリブは集塵容器内に引っ掛かる塵埃を下方に押し出して排出する。
【先行技術文献】
【特許文献】
【０００６】
【特許文献１】特開２０００−３４２４９２号公報（第４頁−第１２頁、第２５図）
【発明の概要】
【発明が解決しようとする課題】
【０００７】
しかしながら、上記従来の電気掃除機によると、サイクロン集塵装置を取り外して操作部の操作により蓋部を開いて集塵容器内の塵埃が廃棄される。更に、ハンドルの操作によりフィルタに捕集された塵埃の除塵や集塵容器内に引っ掛かる塵埃が押し出される。このため、操作部の操作とハンドルの操作とを別々に行う必要があり、電気掃除機の利便性が悪い問題があった。また、使用者がハンドルの操作を忘れた際にフィルタの除塵が行われず、フィルタの目詰まりによって吸引力が低下する問題もあった。
【０００８】
本発明は、利便性を向上できる電気掃除機を提供することを目的とする。また本発明は、吸引力の低下を防止できる電気掃除機を提供することを目的とする。
【課題を解決するための手段】
【０００９】
上記目的を達成するために本発明は、開閉自在の蓋部により底面が閉じられた筒状の集塵容器内に旋回気流を形成して前記集塵容器内に流入する気流に含まれた塵埃を分離して集塵する着脱自在のサイクロン集塵装置を備えた電気掃除機において、前記サイクロン集塵装置が、前記集塵容器の上方に配された回転自在のハンドルと、前記集塵容器内に配されて旋回気流が流出する流出口を有する内筒と、前記流出口から流出する気流に含まれた塵埃を捕集するフィルタと、前記ハンドルの回転によって前記フィルタを叩打して除塵する弾性体から成る除塵部材とを備え、前記サイクロン集塵装置を取り外して前記ハンドルを回転した際に前記蓋部が開かれることを特徴としている。
【００１０】
この構成によると、電気掃除機により掃除を行うと塵埃を含む空気がサイクロン集塵装置の集塵容器内に流入し、集塵容器内に旋回気流が形成される。集塵容器内に流入した空気は旋回気流の遠心力により比較的大きな塵埃が分離されて脱落し、流出口から内筒内に流出する。内筒を流通する空気はフィルタにより細かい塵埃が捕集され、サイクロン集塵装置の排気口から排気される。サイクロン集塵装置を取り外してハンドルを回転させると、集塵容器の底面の蓋部が開かれるとともに除塵部材がフィルタを叩打する。これにより、フィルタが除塵され、集塵容器内に溜められた塵埃とともに廃棄される。
【００１１】
また本発明は、上記構成の電気掃除機において、前記内筒が下面を開口して前記蓋部に密接し、前記内筒の上方に前記フィルタが配されることを特徴としている。この構成によると、フィルタの除塵により落下する塵埃は内筒内を通って下面から排出される。蓋部を閉じた際に内筒の下面は蓋部に密接し、内筒の下面からの空気の流出が防止される。
【００１２】
また本発明は、上記構成の電気掃除機において、前記内筒の周面に突設される螺旋状の押圧部を備え、前記ハンドルを回転した際に前記内筒とともに前記押圧部が回転して塵埃を押し出すことを特徴としている。この構成によると、サイクロン集塵装置を取り外してハンドルを回転させると、集塵容器の底面の蓋部が開かれるとともに内筒とともに押圧部が回転する。これにより、集塵容器内に引っ掛かる塵埃が押し出されて排出される。
【００１３】
また本発明は、上記構成の電気掃除機において、前記蓋部に回転自在に取り付けられて前記ハンドルの回転によって回転するとともに前記蓋部の下方に配される回転体下係合部を有する蓋部回転体と、前記蓋部に対して回動自在に取り付けられて前記蓋部の閉じた状態で配される閉成位置と前記蓋部を開く際に配される開成位置との間を回動するとともに前記回転体下係合部に係合する第１レバー係合部と前記集塵容器の周面に沿って配されて前記閉成位置で前記集塵容器に設けた容器係合部に係合する第２レバー係合部とを有するレバーと、前記レバーを前記閉成位置の方向に付勢するレバー付勢部材と、前記集塵容器の周面に配されるとともに第２レバー係合部と前記容器係合部との係合を解除する操作部とを備えたことを特徴としている。
【００１４】
この構成によると、レバー付勢部材の付勢によってレバーの第２レバー係合部が集塵容器の容器係合部に係合して蓋部が閉じられる。ハンドルを回転すると蓋部に取り付けられる蓋部回転体が回転する。蓋部回転体の回転によって回転体下係合部と第１レバー係合部とが係合してレバーがレバー付勢部材の付勢力に抗して回動する。これにより、第２レバー係合部との容器係合部との係合が解除され、レバーが開成位置に配されて蓋部が開かれる。また、操作部を操作すると例えば、レバーが押圧されて第２レバー係合部と容器係合部との係合が解除され、レバーが開成位置に配されて蓋部が開かれる。操作部の操作によって容器係合部を押圧して第２レバー係合部と容器係合部との係合を解除してもよい。
【００１５】
また本発明は、上記構成の電気掃除機において、前記回転体下係合部を軸方向にスライド自在に形成するとともに前記回転体下係合部を下方に付勢する回転体付勢部材を有し、前記サイクロン集塵装置を装着した際に前記回転体付勢部材の付勢力に抗して前記回転体下係合部が上方に移動し、前記回転体下係合部と第１レバー係合部との係合が解除されることを特徴としている。
【００１６】
この構成によると、回転体下係合部は回転体付勢部材により下方に付勢され、サイクロン集塵装置を取り外した際に回転体下係合部と第１レバー係合部とが係合する。サイクロン集塵装置が装着されると回転体下係合部が上方にスライドし、回転体下係合部と第１レバー係合部との係合が解除される。これにより、ハンドルを回転してもレバーが閉成位置に保持される。
【００１７】
また本発明は、上記構成の電気掃除機において、前記内筒の下部に設けられる内筒下係合部と、前記蓋部回転体に設けられるとともに前記蓋部の上方に配されて前記内筒下係合部に係合する回転体上係合部と、前記除塵部材を回転駆動する除塵モータと、前記ハンドルと前記除塵部材とを連結するクラッチ機構とを備え、前記内筒を前記除塵部材に連結して前記ハンドルの回転によって前記クラッチ機構を介して前記除塵部材及び前記内筒が一体に回転するとともに前記内筒下係合部が前記回転体上係合部に係合して前記蓋部回転体が回転し、掃除の終了時に前記クラッチ機構を切断し、前記除塵モータにより前記除塵部材を回転して前記フィルタを除塵することを特徴としている。
【００１８】
この構成によると、ハンドルはクラッチ機構を介して除塵部材に連結し、除塵部材は内筒に連結する。ハンドルを回転すると除塵部材が回転してフィルタを叩打するとともに内筒が回転して内筒下係合部が回転体上係合部に係合し、蓋部回転体が回転して蓋部が開かれる。サイクロン集塵装置を装着して掃除を行い、掃除が終了するとハンドルと除塵部材を連結するクラッチ機構が切断されて除塵モータが駆動される。除塵モータの駆動によって除塵部材が回転してフィルタを叩打する。この時、回転体下係合部と第１レバー係合部との係合が解除されているため、除塵モータを無限に回転させることができる。
【００１９】
また本発明は、上記構成の電気掃除機において、前記回転体下係合部が前記蓋部回転体の下面から下方に突出するとともに第１レバー係合部が前記レバーの上面から上方に突出して互いに周方向に当接し、前記内筒の軸上に前記蓋部回転体及び前記レバーの回転軸を配したことを特徴としている。
【００２０】
この構成によると、ハンドルを回転させると回転体下係合部が同一の回転軸を有する第１レバー係合部に係合してレバーが内筒の軸を中心に回動する。これにより、第２レバー係合部が集塵容器の周面に沿って移動して蓋部が開き、第１レバー係合部が回転体下係合部から下方に離れる。
【００２１】
また本発明は、上記構成の電気掃除機において、前記回転体下係合部と第１レバー係合部との当接面は前記回転軸に垂直な面に対して略垂直かつ上方が前記蓋部の開成時に回転する方向に傾斜することを特徴としている。この構成によると、回転体下係合部と第１レバー係合部との当接面が傾斜するため、蓋部を開く際に第１レバー係合部が回転体下係合部と摺動せずに下方に離れる。また、該当接面が回転軸に垂直な面に対して略垂直に形成されるため、蓋部回転体の回転時に回転体下係合部が第１レバー係合部を押圧する力の軸方向の分力を小さくすることができる。
【００２２】
また本発明は、開閉自在の蓋部により底面が閉じられた筒状の集塵容器内に旋回気流を形成して前記集塵容器内に流入する気流に含まれた塵埃を分離して集塵する着脱自在のサイクロン集塵装置を備えた電気掃除機において、前記サイクロン集塵装置が、前記集塵容器の上方に配された回転自在のハンドルと、前記集塵容器内に配されて旋回気流が流出する流出口を有する内筒と、前記内筒の周面に突設される螺旋状の押圧部とを備え、前記ハンドルを回転した際に前記内筒とともに前記押圧部が回転して塵埃を押し出すことを特徴としている。
【００２３】
この構成によると、電気掃除機により掃除を行うと塵埃を含む空気がサイクロン集塵装置の集塵容器内に流入し、集塵容器内に旋回気流が形成される。集塵容器内に流入した空気は旋回気流の遠心力により比較的大きな塵埃が分離されて脱落し、流出口から内筒内に流出する。内筒を流通する空気はフィルタにより細かい塵埃が捕集され、サイクロン集塵装置の排気口から排気される。サイクロン集塵装置を取り外してハンドルを回転させると、集塵容器の底面の蓋部が開かれるとともに内筒とともに押圧部が回転する。これにより、集塵容器内に引っ掛かる塵埃が押し出されて排出される。
【発明の効果】
【００２４】
本発明によると、ハンドルの回転によって集塵容器の底面の蓋部を開くとともに除塵部材がフィルタを叩打するので、ハンドルを操作するだけでフィルタの除塵及び塵埃の廃棄を行うことができる。従って、電気掃除機の利便性を向上することができるとともに、フィルタの除塵を確実に行ってフィルタの目詰まりによる吸引力の低下を防止することができる。
【００２５】
また本発明によると、ハンドルの回転によって集塵容器の底面の蓋部を開くとともに押圧部により塵埃を押し出すので、ハンドルを操作するだけで塵埃を押し出して塵埃の廃棄を行うことができる。従って、電気掃除機の利便性を向上することができる
【図面の簡単な説明】
【００２６】
【図１】本発明の実施形態の電気掃除機を示す斜視図
【図２】本発明の実施形態の電気掃除機の本体部を示す側面断面図
【図３】本発明の実施形態の電気掃除機のサイクロン集塵装置を示す側面断面図
【図４】本発明の実施形態の電気掃除機のサイクロン集塵装置を示す斜視図
【図５】本発明の実施形態の電気掃除機のサイクロン集塵装置のカバー部を上方から見た斜視図
【図６】本発明の実施形態の電気掃除機のサイクロン集塵装置のカバー部を下方から見た斜視図
【図７】本発明の実施形態の電気掃除機のサイクロン集塵装置の除塵回転体及び内筒部を上方から見た分解斜視図
【図８】本発明の実施形態の電気掃除機のサイクロン集塵装置の除塵回転体及び内筒部を下方から見た分解斜視図
【図９】本発明の実施形態の電気掃除機のサイクロン集塵装置のフィルタを示す斜視図
【図１０】本発明の実施形態の電気掃除機のサイクロン集塵装置の内筒部及び集塵容器を上方から見た分解斜視図
【図１１】本発明の実施形態の電気掃除機のサイクロン集塵装置の内筒部及び集塵容器を下方から見た分解斜視図
【図１２】本発明の実施形態の電気掃除機のサイクロン集塵装置の集塵容器を上方から見た分解斜視図
【図１３】本発明の実施形態の電気掃除機のサイクロン集塵装置の集塵容器を下方から見た分解斜視図
【図１４】本発明の実施形態の電気掃除機のサイクロン集塵装置の集塵容器の底面図
【図１５】本発明の実施形態の電気掃除機のサイクロン集塵装置の集塵容器の底面図
【図１６】本発明の実施形態の電気掃除機のサイクロン集塵装置の装着時の要部を示す側面断面図
【図１７】本発明の実施形態の電気掃除機のサイクロン集塵装置の要部を示す側面断面図
【発明を実施するための形態】
【００２７】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２８】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４には把持部１３及び操作部１４が設けられる。使用者により操作部１４を操作して掃除運転が実行され、把持部１３を把持して吸込口体５を移動させる。
【００２９】
図２は本体部２の側面断面図を示している。本体部２は後部に電動送風機６が配され、電動送風機６の後方には排気口７が開口する。電動送風機６の前方には集塵室１９が設けられ、集塵室１９内には着脱自在のサイクロン集塵装置２０が配される。サイクロン集塵装置２０は接続ホース３（図１参照）からの気流が流入する流入口２１及び塵埃を除去した気流が流出する集塵装置排気口２４が設けられる。集塵装置排気口２４と電動送風機６との間はダクト１５により連結される。
【００３０】
図３、図４はサイクロン集塵装置２０の側面断面図及び斜視図を示している。サイクロン集塵装置２０は集塵室１９を覆って本体部２（図１参照）の上面を形成するカバー部４０が上部に配され、塵埃を集塵する集塵容器２２が下部に配される。カバー部４０の上面には平面視円形のハンドル４１が回転自在に保持され、ハンドル４１の後方に集塵装置排気口２４が開口する。ハンドル４１を把持してサイクロン集塵装置２０を本体部２に対して着脱することができる。
【００３１】
カバー部４０の下方には内筒５１を有した内筒部５０が取り付けられる。円筒状の集塵容器２２は内筒部５０の下方に取り付けられ、内筒５１が集塵容器２２内に同軸に配される。集塵容器２２の底面は蓋部６０により開閉自在になっている。また、内筒部５０の上部にはフィルタ３７が配され、フィルタ３７を除塵する除塵装置３０が設けられる。除塵装置３０は除塵回転体３１、ギア３２及び除塵モータ３３を備え、フィルタ３７を保持する除塵回転体３１がカバー部４０内に突出して内筒部５０の上部に取り付けられる。
【００３２】
図５、図６はカバー部４０をそれぞれ上方及び下方から見た斜視図を示している。カバー部４０は除塵回転体３１が配される空間部４５を内部に有したカップ状に形成される。カバー部４０の上部にはハンドル４１と一体に回転して空間部４５に突出するクラッチ部４２が設けられる。
【００３３】
クラッチ部４２はハンドル４１の内部に形成したスリーブ４１ａ（図３参照）内に嵌合して上下移動可能になっており、付勢部材（不図示）により下方に付勢されている。また、クラッチ部４２は下方に突出して周方向に並ぶ複数の三角歯から成るハンドル係合部４２ａを有している。ハンドル係合部４２ａは周方向の一面が軸方向に略平行な略鉛直に延びた鉛直面に形成され、他面が軸方向に対して傾斜した斜面に形成される。
【００３４】
カバー部４０の下部の周面には内筒部５０に係合して内筒部５０を保持する保持部４３、４４が対向して設けられる。
【００３５】
図７、図８は除塵装置３０の除塵回転体３１及び内筒部５０をそれぞれ上方及び下方から見た分解斜視図を示している。内筒部５０は集塵容器２２内に配される内筒５１に対して拡径した拡径部５２を内筒５１の上方に有している。内筒５１はハンドル４１と同軸に配され、拡径部５２に対して回転自在に支持されている。
【００３６】
拡径部５２の下面５２ａは円錐面に形成されて傾斜し、周面にはギヤ３２が突出する開口部５２ｂが形成される。拡径部５２の外周面にはカバー部４０の保持部４３、４４に係合する取付係合部５３、５４が対向して設けられる。一方の取付係合部５４は回動自在に形成される。取付係合部５３を保持部４３に係合し、取付係合部５４が回動して保持部４４に係合する。これにより、内筒部５０がカバー部４０に取り付けられる。また、取付係合部５４を手指で回動させることにより、内筒部５０をカバー部４０から取り外すことができる。
【００３７】
除塵装置３０の除塵回転体３１は拡径部５２内に挿入される。除塵回転体３１は軸部３１ａ、腕部３１ｂ及び環状部３１ｃを有している。軸部３１ａはハンドル４１と同軸に配されて上下方向に延び、ハンドル係合部４２ａに係合する上面係合部３４を上面に有している。
【００３８】
上面係合部３４は上方に延びて周方向に並ぶ複数の三角歯から成っている。上面係合部３４は周方向の一面が軸方向に略平行な略鉛直に延びた鉛直面に形成され、他面が軸方向に対して傾斜した斜面に形成される。
【００３９】
腕部３１ｂは軸線周りに所定の角度間隔で複数設けられ、軸部３１ａから径方向外側に向かって延びている。環状部３１ｃは軸部３１ａと同心の円筒形状を成し、腕部３１ｂにより支持されている。環状部３１ｃの内面にフィルタ３７が嵌合して配される。
【００４０】
図９はフィルタ３７の斜視図を示している。フィルタ３７は平面視円形のプリーツフィルタから成り、所定の角度間隔で周方向に山部３７ａと谷部３７ｂとが連続するように折り曲げて形成される。これにより、フィルタ３７の捕集面積の拡大が図られている。
【００４１】
また、環状部３１ｃの外周面には周方向に沿ってギア部３１ｄが形成されている。ギヤ部３１ｄはギヤ３２に噛合し、除塵モータ３３（図４参照）の駆動によって除塵回転体３１が回転する。
【００４２】
ハンドル４１を一方向に回転すると、ハンドル係合部４２ａ及び上面係合部３４の鉛直面が係合してハンドル４１と除塵回転体３１とが一体に回転する。除塵モータ３３の駆動によって除塵回転体３１を同じ方向に回転させると、ハンドル係合部４２ａ及び上面係合部３４の斜面が当接する。これにより、クラッチ部４２が上方に退避し、ハンドル４１の回転を防止して除塵回転体３１を回転させることができる。
【００４３】
ハンドル４１を逆方向に回転させた際も同様にクラッチ部４２が上方に退避し、除塵回転体３１の回転を防止することができる。従って、クラッチ部４２及び軸部３１ａはハンドル４１と除塵回転体３１との連結及び連結解除を行うクラッチ機構を構成する。尚、前述の図３はクラッチ部４２が上方に退避した状態を示している。
【００４４】
除塵回転体３１の腕部３１ｂには下方に突出する複数の除塵部材３１ｅ（図３参照）が設けられる。除塵部材３１ｅは弾性体から成り、フィルタ３７の山部３７ａを越える位置まで延びている。ハンドル４１または除塵モータ３３（図４参照）によって除塵回転体３１が回転すると、除塵部材３１ｅが一体に回転してフィルタ３７の山部３７ａ（図９参照）を順に叩打する。これにより、フィルタ３７を振動させてフィルタ３７の表面に付着した塵埃を除塵し、内筒部５０の拡径部５２に塵埃を落下させる。
【００４５】
除塵回転体３１の軸部３１ａの下部には可撓性部材３６及び下端係合部３５が設けられる。可撓性部材３６は拡径部５２の下面５２ａに沿って配され、除塵回転体３１の回転によって拡径部５２の下面５２ａに摺動する。これにより、拡径部５２の下面５２ａ上に付着した塵埃を中央の内筒５１に導く。下端係合部３５は内筒５１の上端に設けた内筒上係合部５６に係合する。これにより、除塵回転体３１の回転によって内筒５１が回転する。
【００４６】
内筒５１の周面には集塵容器２２（図３参照）内の気流が流出する流出口５１ａが開口する。内筒５１は集塵容器２２の蓋部６０（図３参照）まで延びて形成され、下面に開口部５１ｂが設けられる。フィルタ３７の除塵によって内筒５１内に落下する塵埃は開口部５１ｂを介して蓋部６０上に堆積する。
【００４７】
内筒５１の下部には径方向に突出した螺旋状の押出部５５が設けられる。内筒５１が回転すると集塵容器２２（図３参照）の下部に堆積する塵埃は押出部５５の送り作用によって圧縮される。また、蓋部６０（図３参照）を開いた際に内筒５１を回転させると、集塵容器２２（図３参照）の下部に堆積する塵埃が押出部５５により押し出される。
【００４８】
図１０、図１１は内筒部５０及び集塵容器２２をそれぞれ上方から見た分解斜視図及び下方から見た分解斜視図を示している。拡径部５２の外周面の下部には複数の取付リブ５７が突設される。集塵容器２２は円筒状の円筒部２２ａの底面が蓋部６０で開閉され、取付リブ５７に係合する取付溝２５が円筒部２２ａの上端に形成される。集塵容器２２を回転して取付溝２５を取付リブ５７に係脱させることにより、集塵容器２２を内筒部５０に対して着脱できるようになっている。
【００４９】
集塵容器２２の周面に開口する流入口２１は気流を接線方向に流入させるように設けられ、接続ホース３（図２参照）が接続される。これにより、集塵容器２２内には旋回気流が形成され、旋回気流による遠心力によって塵埃が分離される。
【００５０】
内筒５１の内面の下部には内筒下係合部５８が設けられる。内筒下係合部５８は蓋部６０に設けられる上部回転体６３の回転体上係合部６３ａに係合する。内筒５１の回転によって内筒下係合部５８が回転体上係合部６３ａに係合して上部回転体６３が回転する。
【００５１】
図１２、１３は集塵容器２２を更に分解してそれぞれ上方から見た分解斜視図及び下方から見た分解斜視図を示している。蓋部６０は円盤状に形成され、一端に設けられるヒンジ部６０ａにより円筒部２２ａに枢支される。蓋部６０には上方に突出するボス６０ｂが内筒５１と同軸に形成される。ボス６０ｂは中空に形成され、上面に孔部６０ｃが開口する。蓋部６０の下面にはボス６０ｂの周囲から径方向に延びて周面の一端を開放する凹部６０ｄが形成される。
【００５２】
ボス６０ｂの上面にはリング状のパッキン６２が嵌合する。パッキン６２が内筒５１（図３参照）の内面に接して内筒５１が蓋部６０に密接し、内筒５１の下端の開口部５１ｂ（図８参照）からの気流の流出が防止される。
【００５３】
蓋部６０には上部回転体６３、中間リング６４、下部回転体６５、下部リング６６、シャフト６７及び固定ネジ６８を有した蓋部回転体６９が取り付けられる。上部回転体６３は蓋部６０の上方に配され、中間リング６４、下部回転体６５、下部リング６６及びシャフト６７が蓋部６０の下方に配される。シャフト６７が中間リング６４、下部回転体６５及び下部リング６６を貫通して固定ネジ６８によって上部回転体６３に固定され、蓋部回転体６９が回転自在に蓋部６０に取り付けられる。
【００５４】
上部回転体６３はボス６０ｂの上面に配されてボス６０ｂの周面に嵌合する。上部回転体６３の下面には断面矩形のシャフト部６３ｂが突設される。シャフト部６３ｂの上部は断面円形に形成され、ボス６０ｂの孔部６０ｃに嵌合する。これにより、上部回転体６３が蓋部６０に対して回転自在に配される。上部回転体６３の上面には内筒下係合部５８（図１１参照）に係合する回転体上係合部６３ａが突設される。
【００５５】
シャフト６７は断面矩形に形成されるとともにシャフト部６３ｂが挿通される断面矩形の軸孔６７ａを有している。シャフト６７の下端には鍔部６７ｂが径方向に突出して形成される。軸孔６７ａに上部回転体６３のシャフト部６３ｂを挿入して固定ネジ５８によりシャフト６７が上部回転体６３に固定される。
【００５６】
中間リング６４は滑り性のよい樹脂から成り、シャフト６７が挿通される断面矩形の孔部６４ａを有している。中間リング６４はボス６０ｂの下面に当接し、圧縮バネから成る回転体付勢部材６１（図３参照）の上面を支持する。
【００５７】
下部回転体６５はシャフト６７が挿通される断面矩形の孔部６５ｂを有し、回転体付勢部材６１（図３参照）の下面を支持する。これにより、下部回転体６５が回転体付勢部材６１によって蓋部６０に対して下方に付勢され、上下にスライド移動可能になっている。下部回転体６５と一体に回転する回転体付勢部材６１とボス６０ｂとの摩擦による捩れを中間リング６４により低減し、回転体付勢部材６１の破損を防止することができる。
【００５８】
また、下部回転体６５の下面の孔部６５ｂの周囲は平面から成り、下面の周部には周方向に所定量離れた複数の回転体下係合部６５ａが下方に向けて突設される。回転体下係合部６５ａはレバー７０の第１レバー係合部７０ａに係合する。
【００５９】
下部リング６６は周面が円筒面から成るカップ状に形成され、シャフト６７が挿通される孔部６６ａを上面に有している。下部リング６６の上面は下部回転体６５の下面に当接し、孔部６６ａの下面側の周囲にシャフト６７の鍔部６７ｂが当接して下部リング６６が固定される。
【００６０】
蓋部６０の凹部６０ｄ内にはレバー７０が配される。レバー７０は蓋部６０の下面に沿って配されて径方向に延びる底面部７０ｅと、集塵容器２２の円筒部２２ａの周面に沿って配される周面部７０ｆとを有した略Ｔ字型に形成される。レバー７０は下部リング６６に嵌合する孔部７０ｄを有し、蓋部６０に対して蓋部回転体６９と同軸に回動自在に支持される。また、レバー７０は凹部６０ｄを塞ぐカバー７１により覆われ、凹部６０ｄの上面及びカバー７１によって上下方向の移動が規制される。
【００６１】
孔部７０ｄの周囲の上面側には周方向に所定量離れた複数の第１レバー係合部７０ａが上方に突出して設けられる。第１レバー係合部７０ａは下方に付勢された回転体下係合部６５ａに係合する。これにより、蓋部回転体６９が所定角度だけ回転すると、回転体下係合部６５ａと第１レバー係合部７０ａとが係合してレバー７０が凹部６０ｄ内を回動する。また、下部回転体６５が上方に移動すると、第１レバー係合部７０ａと回転体下係合部６５ａとの係合が解除される。
【００６２】
レバー７０の周面部７０ｆには突起部７０ｂが設けられ、突起部７０ｂの周方向の前方及び後方には第２レバー係合部７０ｃが突設される。集塵容器２２の円筒部２２ａの下端には第２レバー係合部７０ｃが係脱する容器係合部２８が設けられる。また、レバー７０は圧縮バネから成るレバー付勢部７３（図１４参照）によって第２レバー係合部７０ｃが容器係合部２８に係合する方向に付勢されている。
【００６３】
集塵容器２２の円筒部２２ａの周面の下部には突起部７０ｂに当接して周方向に移動可能な操作部２７が設けられる。集塵容器２２の下部を把持して操作部２７を押圧すると、レバー付勢部７３の付勢力に抗して突起部７０ｂが押圧されてレバー７０が回動する。
【００６４】
また、回転体下係合部６５ａは下方に突出し、第１レバー係合部７０ａは上方に突出して互いに周方向に当接する。そして、内筒５１、蓋部回転体６９及びレバー７０が同軸に配される。これにより、レバー７０の回転軸が円筒部２２ａと同軸に配され、簡単な構成でレバー７０の周面部７０ｆを円筒部２２ａの周面に沿って移動させることができる。
【００６５】
カバー７１はネジ７２により蓋部６０の下面に固定され、凹部６０ｄを塞ぐ。カバー７１には下部リング６６が嵌合する孔部７１ａが設けられる。下部リング６６は回転体付勢部材６１（図３参照）の付勢によってカバー７１の下方に突出する。
【００６６】
図１４は集塵容器２２の底面図を示している。レバー７０はレバー付勢部７３の付勢によって図中、時計回りに付勢される。レバー７０が同図に示す凹部６０ｄの一端の閉成位置に配された時に、第２レバー係合部７０ｃ（図１３参照）は容器係合部２８によって下方を覆われる位置に配される。これにより、蓋部６０は容器係合部２８に係止され、閉じられた状態が維持される。
【００６７】
図１５に示すように、操作部２７の押圧またはハンドル４１の回転によってレバー７０はレバー付勢部７３の付勢力に抗して凹部６０ｄの他端の開成位置に配される。これにより、第２レバー係合部７０ｃは容器係合部２８から周方向に退避して第２レバー係合部７０ｃと容器係合部２８との係合が解除される。従って、蓋部６０を自重により開くことができる。
【００６８】
上記構成の電気掃除機１において電動送風機６の駆動によって吸込口体５から床面の塵埃が吸い込まれ、延長パイプ４及び接続ホース３を流通する。塵埃を含む気流はサイクロン集塵装置２０の流入口２１から矢印Ａ１（図３参照）に示すように集塵容器２２に流入し、矢印Ａ２（図３参照）に示すように集塵容器２２内に旋回気流を形成する。旋回気流の遠心力によって気流に含まれる比較的大きな塵埃が除去され、集塵容器２２の底部に堆積する。
【００６９】
塵埃が除去された気流は矢印Ａ３に示すように流出口５１ａから内筒５１内に流出して上昇し、フィルタ３７により細かい塵埃が捕集される。フィルタ３７を通過した気流は集塵装置排気口２４を介してサイクロン集塵装置２０から流出する。サイクロン集塵装置２０から流出した気流はダクト１５を流通し、電動送風機６を介して排気口７から排気される。
【００７０】
操作部１４の操作により電動送風機６を停止すると、除塵装置３０の除塵モータ３３が所定時間だけ駆動される。除塵モータ３３の駆動によってギヤ３２を介して除塵回転体３１が回転する。この時、クラッチ部４２を有するクラッチ機構が切断され、ハンドル４１と除塵回転体３１との連結を解除してハンドル４１の回転が防止される。
【００７１】
除塵回転体３１の回転によって除塵部材３１ｅがフィルタ３７を叩打し、フィルタ３７に捕集された塵埃が除塵されて内筒部５０に落下する。この時、可撓性部材３６によって拡径部５２の下面５２ａ上の塵埃が内筒５１内に導かれ、内筒５１の底部に堆積する。
【００７２】
また、除塵回転体３１の回転によって除塵回転体３１の下端係合部３５と内筒上係合部５６とが係合して内筒５１が回転する。内筒５１の回転によって押出部５５が集塵容器２２の底部の塵埃を圧縮する。更に、内筒下係合部５８と回転体上係合部６３ａとが係合して蓋部回転体６９が回転する。
【００７３】
この時、図１６に示すように、蓋部回転体６９の下部リング６６は集塵室１９の所定位置に当接して上昇し、回転体下係合部６５ａが上方に退避する。これにより、回転体下係合部６５ａと第１レバー係合部７０ａとの係合が解除される。このため、凹部６０ｄによって回動範囲が規制されるレバー７０の回動が防止され、除塵回転体３１を無限に回転させることができる。
【００７４】
また、ハンドル４１を所定方向に回転すると除塵回転体３１と連結して蓋部回転体６９が回転する。この時、回転体下係合部６５ａと第１レバー係合部７０ａとの係合が解除されている。これにより、サイクロン集塵装置２０を取り外した際に蓋部６０が開くことによる塵埃の飛散を防止することができる。
【００７５】
サイクロン集塵装置２０を集塵室１９から取り外してハンドル４１を回転させると、ハンドル係合部４２ａが除塵回転体３１の上面係合部３４に係合する。これにより、除塵回転体３１が回転してフィルタ３７が除塵される。除塵回転体３１の下端係合部３５は内筒上係合部５６に係合し、除塵回転体３１の回転により内筒５１が押出部５５と一体に回転する。
【００７６】
図１７に示すように、内筒下係合部５８は回転体上係合部６３ａに係合し、内筒５１の回転により蓋部回転体６９が回転する。下部リング６６がカバー７１から下方に突出するため回転体下係合部６５ａは第１レバー係合部７０ａに係合し、閉成位置に配されたレバー７０が回動する。レバー７０が回動して開成位置に配されると、第２レバー係合部７０ｃと容器係合部２８との係合が解除されて蓋部６０が開かれる。これにより、集塵容器２２内の塵埃が押出部５５により押し出されて廃棄される。
【００７７】
また、操作部２７を押圧すると、閉成位置に配されたレバー７０が回動して開成位置に配される。この時、第１レバー係合部７０ａは回転体下係合部６５ａから離れる方向に回転する。このため、除塵回転体３１、内筒５１、蓋部回転体６９及びレバー７０を同時に回転させるハンドル４１の操作時よりも負荷を小さくして集塵容器２２内の塵埃を廃棄することができる。容器係合部２８を回動自在に設け、操作部２７の操作によって容器係合部２８を押圧して第２レバー係合部７０ｃと容器係合部２８との係合を解除してもよい。
【００７８】
尚、回転体下係合部６５ａと第１レバー係合部７０ａとの当接面は蓋部回転体６９及びレバー７０の回転軸に垂直な面に対して略垂直かつ上方が蓋部６０の開成時に回転する方向に傾斜している。該当接面を傾斜させることにより蓋部６０を開く際に第１レバー係合部７０ａが回転体下係合部６５ａと摺動せずに下方に離れ、摩擦力の発生を防止できる。  
【００７９】
また、該当接面が回転軸に垂直な面に対して略垂直に形成されるため、蓋部回転体６９の回転時に回転体下係合部６５ａが第１レバー係合部７０ａを押圧する力の軸方向の分力を小さくすることができる。従って、軽い操作力でハンドル４１を回転して蓋部６０を開くことができる。本実施形態では該当接面を回転軸に垂直な面に対して約７５゜に形成している。
【００８０】
本実施形態によると、ハンドル４１の回転によって集塵容器２２の底面の蓋部６０を開くとともに除塵部材３１ｅがフィルタ３７を叩打するので、ハンドル４１を操作するだけでフィルタ３７の除塵及び塵埃の廃棄を行うことができる。従って、電気掃除機１の利便性を向上することができるとともに、フィルタ３７の除塵を確実に行ってフィルタ３７の目詰まりによる吸引力の低下を防止することができる。
【００８１】
また、ハンドル４１の回転によって集塵容器２２の底面の蓋部６０を開くとともに押圧部５５により塵埃を押し出すので、ハンドル４１を操作するだけで塵埃を押し出して塵埃の廃棄を行うことができる。従って、電気掃除機１の利便性を向上することができる
【００８２】
また、内筒５１が下面を開口して蓋部６０に密接し、内筒５１の上方にフィルタ３７が配されるので、フィルタ３７の除塵により落下した塵埃が蓋部６０上に堆積し、蓋部６０の開成によって容易に塵埃を廃棄することができる。加えて、内筒５１の下面からの気流の流出を防止することができる。
【００８３】
また、回転体下係合部６５ａを有する回転自在の蓋部回転体６９と第１、第２レバー係合部７０ａ、７０ｃを有する回動自在のレバー７０とを蓋部６０に設け、レバー７０を押圧する操作部２７を集塵容器２２の周面に配したので、簡単な構成でハンドル４１の回転によって回転体下係合部６５ａと第１レバー係合部７０ａとが係合して蓋部６０を開くことができる。加えて、操作部２７の操作によってハンドル４１の操作時よりも軽い負荷で蓋部６０を開くことができる。これにより、集塵容器２２内に引っ掛かる塵埃によってハンドル４１の操作が重くなる場合や使用者の力が弱い場合に操作部２７の操作により容易に塵埃を廃棄することができる。従って、電気掃除機１の利便性をより向上することができる。
【００８４】
また、回転体下係合部６５ａを有する下部回転体６５が回転体付勢部材６１により下方に付勢され、サイクロン集塵装置２０を装着した際に回転体下係合部６５ａが上方に退避して第１レバー係合部７０ａとの係合が解除されるので、レバー７０が閉成位置に保持される。これにより、ハンドル４１を回転した後にサイクロン集塵装置２０を取り外しても蓋部６０が開くことがなく、塵埃の飛散を防止することができる。
【００８５】
また、除塵部材３１ｅを有する除塵回転体３１とハンドル４１とを連結するクラッチ機構（４２、３１ａ）と除塵部材３１ｅを回転駆動する除塵モータ３３とを設け、掃除の終了時に除塵モータ３３によって除塵部材３１ｅを回転させるので、フィルタ３７の除塵を頻繁に行うことができ、目詰まりを防止することができる。この時、サイクロン集塵装置２０の装着によって回転体下係合部６５ａと第１レバー係合部７０ａとの係合が解除されるので、回動範囲が規制されるレバー７０の回動が防止され、除塵回転体３１を無限に回転させることができる。
【００８６】
また、回転体下係合部６５ａが下方に突出するとともに第１レバー係合部７０ａが上方に突出して互いに周方向に当接し、内筒５１、蓋部回転体６９及びレバー７０が同軸に配されるので、簡単な構成でレバー７０の周面部７０ｆを集塵容器２２の内筒部２２ａの周面に沿って移動させることができる。従って、操作部２７の操作によってレバー７０を容易に回動させることができる。
【００８７】
また、回転体下係合部６５ａと第１レバー係合部７０ａとの当接面は蓋部回転体６９及びレバー７０の回転軸に垂直な面に対して略垂直かつ上方が蓋部６０の開成時に回転する方向に傾斜している。該当接面を傾斜させることにより蓋部６０を開く際に第１レバー係合部７０ａが回転体下係合部６５ａと摺動せずに下方に離れ、摩擦力の発生を防止できる。従って、蓋部６０を確実に開くことができる。
【００８８】
また、該当接面が回転軸に垂直な面に対して略垂直に形成されるため、蓋部回転体６９の回転時に回転体下係合部６５ａが第１レバー係合部７０ａを押圧する力の軸方向の分力を小さくすることができる。従って、軽い操作力でハンドル４１を回転して蓋部６０を開くことができる。
【産業上の利用可能性】
【００８９】
本発明によると、サイクロン集塵装置を備えた電気掃除機に利用することができる。
【符号の説明】
【００９０】
１    電気掃除機
２    本体部
３    接続ホース
４    延長パイプ
５    吸込口体
６    電動送風機
７    排気口
１４    操作部
１５    ダクト
１９    集塵室
２０    サイクロン集塵装置
２１    流入口
２２    集塵容器
２４    集塵装置排気口
２７    操作部
２８    容器係合部
３０    除塵装置
３１    除塵回転体
３１ａ  軸部
３１ｅ  除塵部材
３２    ギヤ
３３    除塵モータ
３４    上面係合部
３５    下端係合部
３７    フィルタ
４０    カバー部
４１    ハンドル
４２    クラッチ部
４２ａ  ハンドル係合部
５０    内筒部
５１    内筒
５１ａ  流出口
５２    拡径部
５５    押出部
５６    内筒上係合部
５８    内筒下係合部
６０    蓋部
６１    回転体付勢部材
６２    パッキン
６３    上部回転体
６３ａ  回転体上係合部
６４    中間リング
６５    下部回転体
６５ａ  回転体下係合部
６６    下部リング
６７    シャフト
６９    蓋部回転体
７０    レバー
７０ａ  第１レバー係合部
７０ｃ  第２レバー係合部
７１    カバー
７３    レバー付勢部材
【図１】
0005406655.tif 000002
【図２】
0005406655.tif 000003
【図３】
0005406655.tif 000004
【図４】
0005406655.tif 000005
【図５】
0005406655.tif 000006
【図６】
0005406655.tif 000007
【図７】
0005406655.tif 000008
【図８】
0005406655.tif 000009
【図９】
0005406655.tif 000010
【図１０】
0005406655.tif 000011
【図１１】
0005406655.tif 000012
【図１２】
0005406655.tif 000013
【図１３】
0005406655.tif 000014
【図１４】
0005406655.tif 000015
【図１５】
0005406655.tif 000016
【図１６】
0005406655.tif 000017
【図１７】
0005406655.tif 000018